(57)【要約】      （修正有）【課題】ロック状態を解除するための認証処理を利用者が容易に把握できるようにする。【解決手段】情報処理装置は、処理装置１１において、解除アイコンを表示装置１４に表示させる表示制御部３２と、解除アイコンが操作された場合にロック状態の解除のための認証処理を実行する認証処理部３３とを具備する。表示制御部３２は、複数種の認証処理のうち認証処理部３３が実行する認証処理に応じて解除アイコンの表示を変化させ、また、複数の解除アイコンのうち利用者が操作した解除アイコンに対応した認証処理を実行する。【選択図】図２
2019023820.tif 000002
【特許請求の範囲】
【請求項１】
解除アイコンを表示装置に表示させる表示制御部、および、
前記解除アイコンが操作された場合にロック状態の解除のための認証処理を実行する認証処理部
としてコンピュータを機能させるプログラムであって、
前記表示制御部は、複数種の認証処理のうち前記認証処理部が実行する認証処理に応じて前記解除アイコンの表示を変化させる
プログラム。
【請求項２】
前記表示制御部は、前記複数種の認証処理のうち前記認証処理部が実行する認証処理を表す画像内容の前記解除アイコンを前記表示装置に表示させる
請求項１のプログラム。
【請求項３】
前記表示制御部は、前記複数種の認証処理のうち前記認証処理部が実行する認証処理に応じた表示態様で前記解除アイコンを前記表示装置に表示させる
請求項１または請求項２のプログラム。
【請求項４】
ロック状態の解除のための複数種の認証処理にそれぞれ対応する複数の解除アイコンを表示装置に表示させる表示制御部、および、
前記複数の解除アイコンのうち利用者が操作した解除アイコンに対応した認証処理を実行する認証処理部
としてコンピュータを機能させるプログラム。
【請求項５】
前記表示制御部は、複数種の認証処理のうち有効な認証処理と無効な認証処理とについて前記解除アイコンの表示態様を相違させる
請求項４のプログラム。
【請求項６】
前記表示制御部は、複数種の認証処理のうち有効な認証処理に対応する前記解除アイコンを表示し、前記複数種の認証処理のうち無効な認証処理については前記解除アイコンを表示しない
請求項４のプログラム。
【請求項７】
前記認証処理部が実行した認証処理の種類に応じて、当該認証処理による前記ロック状態の解除後の動作モードを設定する動作制御部
を具備する請求項４から請求項６の何れかのプログラム。
【請求項８】
前記認証処理部が実行した認証処理に対応するプログラムを、当該認証処理によるロック状態の解除後に起動する動作制御部
を具備する請求項４から請求項６の何れかのプログラム。
【請求項９】
情報処理装置が、
解除アイコンを表示装置に表示させ、
前記解除アイコンが操作された場合にロック状態の解除のための認証処理を実行する
動作方法であって、
複数種の認証処理のうち前記実行される認証処理に応じて前記解除アイコンの表示を変化させる
情報処理装置の動作方法。
【請求項１０】
情報処理装置が、
ロック状態の解除のための複数種の認証処理にそれぞれ対応する複数の解除アイコンを表示装置に表示させ、
前記複数の解除アイコンのうち利用者が操作した解除アイコンに対応した認証処理を実行する
情報処理装置の動作方法。
【発明の詳細な説明】
【技術分野】
【０００１】
本発明は、情報処理装置におけるロック状態の解除に関する。
【背景技術】
【０００２】
携帯電話機またはスマートフォン等の各種の情報処理装置において、動作が制限されたロック状態を解除するための技術が従来から提案されている。例えば特許文献１および特許文献２には、利用者が情報処理装置を手に取ったことを契機としてロック状態を解除する構成が開示されている。
【先行技術文献】
【特許文献】
【０００３】
【特許文献１】特表２０１５−５２８２５３号公報
【特許文献２】特開２０１４−１６１０６３号公報
【発明の概要】
【発明が解決しようとする課題】
【０００４】
情報処理装置の正規の利用者以外の第三者による使用を防止する観点から、ロック状態の解除には認証処理の成功が要件とされる場合がある。コード認証および指紋認証等の複数種の認証処理を選択的に実行可能な構成では、例えば情報処理装置の操作に不慣れな高齢者等にとって、複数種のうち何れの認証処理でロック状態を解除できるのか把握し難いという状況が想定される。以上の事情を考慮して、本発明の好適な態様は、ロック状態を解除するための認証処理を利用者が容易に把握できるようにすることを目的とする。
【課題を解決するための手段】
【０００５】
以上の課題を解決するために、本発明の好適な態様に係るプログラムは、解除アイコンを表示装置に表示させる表示制御部、および、前記解除アイコンが操作された場合にロック状態の解除のための認証処理を実行する認証処理部としてコンピュータを機能させるプログラムであって、前記表示制御部は、複数種の認証処理のうち前記認証処理部が実行する認証処理に応じて前記解除アイコンの表示を変化させる。
【０００６】
本発明の他の態様に係るプログラムは、ロック状態の解除のための複数種の認証処理にそれぞれ対応する複数の解除アイコンを表示装置に表示させる表示制御部、および、前記複数の解除アイコンのうち利用者が操作した解除アイコンに対応した認証処理を実行する認証処理部としてコンピュータを機能させる。
【０００７】
本発明の好適な態様に係る情報処理方法は、コンピュータが、解除アイコンを表示装置に表示させ、前記解除アイコンが操作された場合にロック状態の解除のための認証処理を実行する情報処理方法であって、複数種の認証処理のうち前記実行される認証処理に応じて前記解除アイコンの表示を変化させる。
【０００８】
本発明の他の態様に係る情報処理方法は、コンピュータが、ロック状態の解除のための複数種の認証処理にそれぞれ対応する複数の解除アイコンを表示装置に表示させ、前記複数の解除アイコンのうち利用者が操作した解除アイコンに対応した認証処理を実行する。
【発明の効果】
【０００９】
本発明によれば、ロック状態を解除するための認証処理を利用者が容易に把握することが可能である。
【図面の簡単な説明】
【００１０】
【図１】本発明の第１実施形態に係る情報処理装置の構成を示すブロック図である。
【図２】情報処理装置の機能的な構成を示すブロック図である。
【図３】ホーム画面の模式図である。
【図４】認証処理部がコード認証を実行する場合のロック画面の模式図である。
【図５】認証処理部が指紋認証を実行する場合のロック画面の模式図である。
【図６】認証処理部が顔認証を実行する場合のロック画面の模式図である。
【図７】処理装置が実行する処理の内容を示すフローチャートである。
【図８】第２実施形態においてコード認証が実行される場合のロック画面の模式図である。
【図９】第２実施形態において指紋認証が実行される場合のロック画面の模式図である。
【図１０】第２実施形態において顔認証が実行される場合のロック画面の模式図である。
【図１１】第３実施形態におけるロック画面の模式図である。
【図１２】第３実施形態の処理装置が実行する処理の内容を示すフローチャートである。
【図１３】第４実施形態におけるロック画面の模式図である。
【図１４】第５実施形態におけるロック画面の模式図である。
【図１５】第６実施形態の処理装置が実行する処理の内容を示すフローチャートである。
【図１６】第７実施形態の処理装置が実行する処理の内容を示すフローチャートである。
【発明を実施するための形態】
【００１１】
＜第１実施形態＞
図１は、本発明の第１実施形態に係る情報処理装置１００のハードウェア構成を例示するブロック図である。情報処理装置１００は、例えば携帯電話機、スマートフォンまたはタブレット端末等の可搬型の情報端末である。図１に例示される通り、情報処理装置１００は、処理装置１１と記憶装置１２と通信装置１３と表示装置１４と入力装置１５とを具備するコンピュータシステムにより実現される。情報処理装置１００の各要素は、単体または複数のバスで相互に接続される。なお、本願における「装置」という用語は、回路、デバイスまたはユニット等の他の用語に読替えてもよい。また、情報処理装置１００の各要素は、単数または複数の機器で構成される。情報処理装置１００の一部の要素を省略してもよい。
【００１２】
処理装置１１は、情報処理装置１００の全体を制御するプロセッサであり、例えば単数または複数のチップで構成される。処理装置１１は、例えば、周辺装置とのインタフェース、演算装置およびレジスタ等を含む中央処理装置（ＣＰＵ：Central Processing Unit）で構成される。なお、処理装置１１の機能の一部または全部を、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアで実現してもよい。処理装置１１は、各種の処理を並列的または逐次的に実行する。
【００１３】
記憶装置１２は、処理装置１１が読取可能な記録媒体であり、処理装置１１が実行する複数のプログラムと処理装置１１が使用する各種のデータとを記憶する。記憶装置１２は、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）等の記憶回路の１種類以上で構成される。
【００１４】
通信装置１３は、移動体通信網またはインターネット等の通信網を介して他の装置と通信する機器である。通信装置１３は、例えばネットワークデバイス、ネットワークコントローラ、ネットワークカードまたは通信モジュールとも表記される。例えば、配信サーバ（図示略）から通信網を介して通信装置１３が受信したプログラムが記憶装置１２に記憶される。
【００１５】
表示装置１４は、処理装置１１による制御のもとで各種の画像を表示する。例えば液晶表示パネル、有機ＥＬ表示パネル等の各種の表示パネルが表示装置１４として好適に利用される。
【００１６】
入力装置１５は、情報処理装置１００が使用する情報を入力するための機器である。第１実施形態の入力装置１５は、操作装置２１と指紋検出器２２と撮像装置２３とを具備する。
【００１７】
操作装置２１は、利用者による操作を受付ける。具体的には、操作装置２１は、数字および文字等の符号を入力するための操作と、表示装置１４が表示するアイコンを選択するための操作とを受付ける。例えば、表示装置１４の表示面に対する接触を検出するタッチパネルが操作装置２１として好適である。なお、利用者が操作可能な複数の操作子を操作装置２１が含んでもよい。
【００１８】
指紋検出器２２は、利用者の手指における指紋のパターン（以下「指紋パターン」という）を検出する。例えば、利用者の手指が接触する検出面内の電荷量に応じて指紋パターンを検出する静電容量方式の指紋センサが指紋検出器２２として好適である。
【００１９】
撮像装置２３は、所定の範囲内の画像を撮像する。例えばＣＭＯＳ（Complementary Metal-Oxide-Semiconductor）センサまたはＣＣＤ(Charge Coupled Device）センサ等のイメージセンサが撮像装置２３として利用される。第１実施形態の撮像装置２３は、利用者の顔の画像（以下「顔画像」という）を撮像する。
【００２０】
図２は、情報処理装置１００の機能に着目したブロック図である。記憶装置１２に記憶されたプログラムを処理装置１１が実行することで、図２に例示する複数の機能（動作制御部３１、表示制御部３２および認証処理部３３）が実現される。
【００２１】
動作制御部３１は、情報処理装置１００の動作を制御する。第１実施形態の動作制御部３１は、情報処理装置１００の動作状態を、通常状態と待機状態とロック状態との間で遷移させる。通常状態は、例えば利用者からの指示に応じて種々のプログラム（アプリケーションプログラム）を実行可能な通常の動作状態である。待機状態は、消費電力の削減のために情報処理装置１００の一部の機能を停止させた動作状態であり、スリープ状態またはスタンバイ状態とも表記され得る。例えば、待機状態では表示装置１４による表示動作が停止される。ロック状態は、通常状態と比較して動作が制限された動作状態である。例えば、通常状態で実行可能な複数の機能のうち一部の機能のみがロック状態では限定的に許可される。ロック状態では、表示装置１４による表示動作は実行される。
【００２２】
具体的には、通常状態において利用者が操作装置２１を操作することなく所定の時間が経過した場合に、動作制御部３１は、情報処理装置１００の動作状態を通常状態から待機状態に遷移させる。待機状態において利用者による操作が付与されると、動作制御部３１は、情報処理装置１００の動作状態を待機状態からロック状態に遷移させる。ロック状態において後述の認証処理が成功すると、動作制御部３１は、情報処理装置１００の動作状態をロック状態から通常状態に遷移させる。すなわち、ロック状態が解除される。
【００２３】
図２の表示制御部３２は、表示装置１４に画像を表示させる。第１実施形態の表示制御部３２は、通常状態では図３のホーム画面４０を表示装置１４に表示させ、ロック状態では図４のロック画面５０を表示装置１４に表示させる。ホーム画面４０は、複数のプログラムにそれぞれ対応した複数のアイコン４１が配列された画像である。通常状態では、ホーム画面４０に配置された複数のアイコン４１のうち利用者が選択した１個のアイコン４１に対応するプログラムが実行される。表示制御部３２は、プログラムの実行画面を表示装置１４に表示させる。
【００２４】
他方、ロック画面５０は、情報処理装置１００がロック状態にあることを表す画像である。図４に例示される通り、ロック画面５０には解除アイコン５１（５１ａ，５１ｂまたは５１ｃ）が配置される。解除アイコン５１は、ロック状態の解除を利用者が指示するための画像（例えばソフトウェアボタン）である。なお、ロック画面５０には、解除アイコン５１のほか、例えば、利用者が事前に選択した背景画像、または、現在時刻を表す画像が表示される（図示略）。
【００２５】
図２の認証処理部３３は、認証処理を実行する。認証処理は、利用者の正当性（具体的には事前に登録された正規の利用者であるか否か）を判定する処理である。具体的には、利用者による解除アイコン５１の操作を契機として認証処理が実行される。認証処理が成功した場合にはロック状態が解除され、認証処理が失敗した場合にはロック状態は解除されない。
【００２６】
第１実施形態の認証処理部３３は、複数種の認証処理の何れかを選択的に実行する。認証処理部３３が実行する認証処理は、例えば操作装置２１に対する利用者からの指示に応じて事前に選択される。すなわち、利用者は、所望の認証処理を選択できる。第１実施形態の認証処理部３３は、コード認証と指紋認証と顔認証との３種類の認証処理の何れかを実行する。記憶装置１２には、認証処理部３３が実行する認証処理を示す認証処理データが記憶される。
【００２７】
コード認証は、数字および文字の一方または双方で構成された認証コード（例えばパスコード，パスワード）を利用する認証処理である。具体的には、認証処理部３３は、操作装置２１を利用して利用者が入力した認証コードと、事前に登録された参照データとを照合する。認証処理部３３は、利用者が入力した認証コードと登録済の参照データとが一致する場合に利用者の正当性を認証し（認証成功）、両者が相違する場合には利用者の正当性を否定する（認証失敗）。
【００２８】
指紋認証は、利用者の手指の指紋パターンを利用する認証処理である。具体的には、認証処理部３３は、指紋検出器２２が検出した指紋パターンと、正規の利用者が事前に登録した参照データとを照合する。認証処理部３３は、指紋検出器２２が検出した指紋パターンと登録済の参照データとの類似度が所定の閾値を上回る場合に利用者の正当性を認証し（認証成功）、類似度が閾値を下回る場合には利用者の正当性を否定する（認証失敗）。
【００２９】
顔認証は、利用者の顔画像を利用する認証処理である。具体的には、認証処理部３３は、撮像装置２３が撮像した顔画像と、正規の利用者が事前に登録した参照データとを照合する。認証処理部３３は、撮像装置２３が撮像した顔画像と登録済の参照データとの類似度が所定の閾値を上回る場合に利用者の正当性を認証し（認証成功）、類似度が閾値を下回る場合には利用者の正当性を否定する（認証失敗）。
【００３０】
以上の構成において、表示制御部３２は、複数種の認証処理のうちロック状態において認証処理部３３が実行する認証処理に応じて、ロック画面５０における解除アイコン５１の表示を変化させる。第１実施形態の表示制御部３２は、複数種の認証処理のうち認証処理部３３が実行する認証処理を表す画像内容（すなわち外観的に視認できる形体）の解除アイコン５１を表示装置１４に表示させる。具体的には、各認証処理で使用される情報（認証コード，指紋パターンまたは顔画像）を模式的に表現した画像が解除アイコン５１として好適である。記憶装置１２には、複数種の認証処理にそれぞれ対応する複数の解除アイコン５１を表す画像データが記憶されている。表示制御部３２は、複数の画像データのうち認証処理部３３が実行する認証処理に対応する解除アイコン５１の画像データを記憶装置１２から読出し、当該画像データを利用してロック画面５０に解除アイコン５１を配置する。
【００３１】
第１実施形態において、任意の１種類の認証処理に対応する解除アイコン５１は、当該認証処理の特徴を模式的に表現した画像である。図４には、認証処理部３３がコード認証を実行する場合のロック画面５０が例示されている。コード認証が、数字または文字で構成された認証コードを利用する認証処理であることを考慮して、図４に例示される通り、数字列を表す解除アイコン５１ａがロック画面５０に表示される。
【００３２】
図５は、認証処理部３３が指紋認証を実行する場合のロック画面５０である。図５に例示される通り、認証処理部３３が指紋認証を実行する場合、手指の指紋を模式的に表す解除アイコン５１ｂがロック画面５０に表示される。また、図６は、認証処理部３３が顔認証を実行する場合のロック画面５０である。図６に例示される通り、認証処理部３３が顔認証を実行する場合、人間の顔を模式的に表す解除アイコン５１ｃがロック画面５０に表示される。
【００３３】
図７は、処理装置１１による処理の内容を例示するフローチャートである。待機状態において利用者が操作装置２１を操作した場合に図７の処理が開始される。
【００３４】
待機状態において利用者が操作装置２１を操作すると、動作制御部３１は、情報処理装置１００の動作状態を待機状態からロック状態に遷移させる（Ｓａ１）。表示制御部３２は、認証処理部３３が実行する認証処理に対応する解除アイコン５１を表示装置１４に表示させる（Ｓａ２）。具体的には、表示制御部３２は、記憶装置１２に記憶された認証処理データが示す認証処理に対応する解除アイコン５１（すなわち、認証処理を表す画像内容の解除アイコン５１）の画像データを記憶装置１２から取得し、当該解除アイコン５１を含むロック画面５０を表示装置１４に表示させる。
【００３５】
動作制御部３１は、利用者が解除アイコン５１を操作するまで待機する（Ｓａ３：ＮＯ）。解除アイコン５１が操作されると（Ｓａ３：ＹＥＳ）、認証処理部３３は、認証処理データが指定する認証処理を実行する（Ｓａ４）。認証処理部３３による認証処理が成功した場合（Ｓａ５：ＹＥＳ）、動作制御部３１は、情報処理装置１００の動作状態をロック状態から通常状態に遷移させる（Ｓａ６）。すなわち、ロック状態が解除される。表示制御部３２は、ロック画面５０をホーム画面４０に変更する（Ｓａ７）。他方、認証処理が失敗した場合（Ｓａ５：ＮＯ）、動作制御部３１は、情報処理装置１００の動作状態をロック状態に維持したまま、処理をステップＳａ３に移行する。
【００３６】
以上に説明した通り、第１実施形態では、複数種の認証処理のうち認証処理部３３が実行する認証処理に応じて解除アイコン５１の表示が変化するから、ロック状態を解除するための認証処理を利用者が容易に把握できる。第１実施形態では特に、認証処理部３３が実行する認証処理を表す画像内容の解除アイコン５１が表示されるから、ロック状態を解除するための認証処理を、利用者が直観的かつ視覚的に把握できるという利点がある。
【００３７】
＜第２実施形態＞
本発明の第２実施形態を説明する。なお、以下に例示する各形態において作用または機能が第１実施形態と同様である要素については、第１実施形態の説明で使用した符号を流用して各々の詳細な説明を適宜に省略する。
【００３８】
第１実施形態では、認証処理部３３が実行する認証処理を表す画像内容の解除アイコン５１を表示装置１４に表示した。第２実施形態では、認証処理部３３が実行する認証処理に応じた表示態様で解除アイコン５１が表示される。表示態様とは、視覚的に弁別可能な画像の性状（具体的には表示内容以外の外観）を意味する。例えば、色の３属性である色相（色調）、彩度または明度（階調）が表示態様の典型例である。なお、解除アイコン５１のサイズまたは位置等の要素も表示態様の概念に包含される。
【００３９】
図８は、認証処理部３３がコード認証を実行する場合の解除アイコン５１の表示例であり、図９は、認証処理部３３が指紋認証を実行する場合の解除アイコン５１の表示例であり、図１０は、認証処理部３３が顔認証を実行する場合の解除アイコン５１の表示例である。図８から図１０に例示される通り、第２実施形態では、解除アイコン５１の表示態様が認証処理の種類に応じて変化する。具体的には、図７に例示した処理のうちのステップＳａ２において、表示制御部３２は、認証処理部３３が実行する認証処理に応じた表示態様で解除アイコン５１を表示装置１４に表示させる。認証処理の種類と表示態様との関係は、例えば操作装置２１に対する操作で利用者が事前に設定する。他方、解除アイコン５１の画像内容（図形の形状）自体は認証処理の種類に関わらず共通する。
【００４０】
第２実施形態においても第１実施形態と同様の効果が実現される。また、第２実施形態では、複数種の認証処理のうち認証処理部３３が実行する認証処理に応じた表示態様で解除アイコン５１が表示される。したがって、ロック状態を解除するための認証処理を、利用者が直観的かつ視覚的に把握できるという利点がある。なお、解除アイコン５１の画像内容を認証処理の種類に関わらず共通させた構成によれば、ロック状態の解除に必要な認証処理の種類を第三者が特定できないという利点がある。
【００４１】
なお、以上の説明では、解除アイコン５１の画像内容を認証処理の種類に関わらず共通させたが、解除アイコン５１の画像内容を認証処理の種類に応じて変化させてもよい。すなわち、解除アイコン５１の画像内容を認証処理に応じて変化させる第１実施形態の構成と、解除アイコン５１の表示態様を認証処理に応じて変化させる第２実施形態の構成とを併合してもよい。なお、解除アイコン５１の画像内容を認証処理に応じて変化させる第１実施形態の構成と、解除アイコン５１の表示態様を認証処理に応じて変化させる第２実施形態の構成とは、解除アイコン５１の表示を認証処理に応じて変化させる構成として包括される。
【００４２】
＜第３実施形態＞
本発明の第３実施形態を説明する。第３実施形態の情報処理装置１００は、第１実施形態（図２）と同様に、動作制御部３１と表示制御部３２と認証処理部３３とを具備する。動作制御部３１は、情報処理装置１００の全体的な動作（例えば動作状態の切替）を制御する。表示制御部３２は、表示装置１４に画像を表示させる。具体的には、表示制御部３２は、ロック状態ではロック画面５０を表示装置１４に表示させ、通常状態ではホーム画面４０を表示装置１４に表示させる。認証処理部３３は、複数種の認証処理の何れかを選択的に実行する。第３実施形態の認証処理部３３は、第１実施形態と同様に、コード認証と指紋認証と顔認証との３種類の認証処理の何れかを実行する。
【００４３】
図１１は、第３実施形態におけるロック画面５０の模式図である。図１１に例示される通り、第３実施形態の表示制御部３２は、複数種の認証処理にそれぞれ対応する複数の解除アイコン５１（５１ａ，５１ｂおよび５１ｃ）を含むロック画面５０を表示装置１４に表示させる。具体的には、各認証処理に対応する解除アイコン５１は、第１実施形態と同様に、当該認証処理を表す画像（例えば認証処理の特徴を模式的に表現した画像）である。例えば、コード認証に対応する解除アイコン５１ａは、複数の数字の配列を表す画像である。また、指紋認証に対応する解除アイコン５１ｂは、手指の指紋を模式的に表す画像であり、顔認証に対応する解除アイコン５１ｃは、人間の顔を模式的に表す画像である。
【００４４】
利用者は、操作装置２１を操作することで、ロック画面５０における複数の解除アイコン５１のうち所望の認証処理に対応する解除アイコン５１を選択することが可能である。第３実施形態の認証処理部３３は、ロック画面５０における複数の解除アイコン５１のうち利用者が操作した解除アイコン５１に対応した認証処理を実行する。例えば、図１１の解除アイコン５１ａを利用者が選択した場合、認証処理部３３はコード認証を実行する。
【００４５】
図１２は、第３実施形態の処理装置１１が実行する処理の内容を例示するフローチャートである。待機状態において利用者が操作装置２１を操作した場合に図１２の処理が開始される。
【００４６】
待機状態において利用者が操作装置２１を操作すると、動作制御部３１は、情報処理装置１００の動作状態を待機状態からロック状態に遷移させる（Ｓｂ１）。表示制御部３２は、複数種の認証処理にそれぞれ対応する複数の解除アイコン５１を表示装置１４に表示させる（Ｓｂ２）。具体的には、表示制御部３２は、記憶装置１２から取得した各解除アイコン５１の画像データを利用して、複数の解除アイコン５１を含むロック画面５０を表示装置１４に表示させる。
【００４７】
動作制御部３１は、複数の解除アイコン５１の何れかを利用者が操作するまで待機する（Ｓｂ３：ＮＯ）。利用者が何れかの解除アイコン５１を操作すると（Ｓｂ３：ＹＥＳ）、認証処理部３３は、利用者が操作した１個の解除アイコン５１に対応する認証処理を実行する（Ｓｂ４）。認証処理部３３による認証処理が成功した場合（Ｓｂ５：ＹＥＳ）、動作制御部３１は、情報処理装置１００の動作状態をロック状態から通常状態に遷移させ（Ｓｂ６）、表示制御部３２は、ロック画面５０をホーム画面４０に変更する（Ｓｂ７）。他方、認証処理が失敗した場合（Ｓｂ５：ＹＥＳ）、動作制御部３１は、情報処理装置１００の動作状態をロック状態に維持したまま、処理をステップＳｂ３に移行する。
【００４８】
以上に説明した通り、第３実施形態では、複数種の認証処理にそれぞれ対応する複数の解除アイコン５１が表示装置１４に表示され、複数の解除アイコン５１のうち利用者が操作した解除アイコン５１に対応した認証処理が実行される。したがって、ロック状態を解除するための認証処理を、利用者が容易に把握できるという利点がある。
【００４９】
＜第４実施形態＞
図１３は、第４実施形態においてロック状態で表示装置１４に表示されるロック画面５０の模式図である。図１３に例示される通り、第４実施形態のロック画面５０には、第３実施形態と同様に、複数種の認証処理にそれぞれ対応する複数の解除アイコン５１（５１ａ，５１ｂおよび５１ｃ）が配置される。
【００５０】
第４実施形態における複数種の認証処理の各々は、有効および無効の何れかに区別される。有効な認証処理は、認証処理部３３が実行可能な認証処理である。例えば、利用者が事前に許可した認証処理は、有効な認証処理である。他方、無効な認証処理は、認証処理部３３による実行が制限された認証処理である。例えば、利用者が事前に禁止した認証処理、または、照合用の参照データが登録されていない認証処理（すなわち、認証処理部３３が実行できない認証処理）は、無効な認証処理である。図１３に例示される通り、第４実施形態の表示制御部３２は、複数種の認証処理のうち有効な認証処理と無効な認証処理とについて解除アイコン５１の表示態様を相違させる。
【００５１】
具体的には、表示制御部３２は、有効な認証処理の各解除アイコン５１を通常の表示態様で表示する一方、無効な認証処理の各解除アイコン５１を、有効な認証処理の解除アイコン５１と比較して視覚的に目立たない表示態様で表示する。例えば、無効な認証処理の解除アイコン５１は、利用者が選択できないことを意味する表示色で表示（例えばグレイアウト表示）される。なお、図１３には、顔認証が無効である場合のロック画面５０が例示されている。有効な認証処理の解除アイコン５１が、無効な認証処理の解除アイコン５１と比較して強調表示される、と換言してもよい。
【００５２】
複数の解除アイコン５１のうち利用者が選択した解除アイコン５１に対応した認証処理を認証処理部３３が実行する点は、第３実施形態と同様である。したがって、第４実施形態においても第３実施形態と同様の効果が実現される。また、第４実施形態では、有効な認証処理と無効な認証処理とについて解除アイコン５１の表示態様が相違するから、複数種の認証処理のうち利用者が有効に選択できる認証処理を利用者が容易に把握できるという利点がある。
【００５３】
＜第５実施形態＞
図１４は、第５実施形態においてロック状態で表示装置１４に表示されるロック画面５０の模式図である。第５実施形態においても第４実施形態と同様に、複数種の認証処理の各々は、有効および無効の何れかに区別される。
【００５４】
第５実施形態の表示制御部３２は、複数種の認証処理のうち有効な認証処理に対応する解除アイコン５１をロック画面５０に表示する。他方、複数種の認証処理のうち無効な認証処理に対応する解除アイコン５１はロック画面５０に表示されない。例えば、コード認証と指紋認証とが有効であり、顔認証が無効である状態では、図１４に例示される通り、コード認証に対応する解除アイコン５１ａと指紋認証に対応する解除アイコン５１ｂとがロック画面５０に配置され、顔認証に対応する解除アイコン５１ｃは表示されない。以上の説明から理解される通り、複数種の認証処理が有効である場合には、複数の解除アイコン５１が表示装置１４に表示される。すなわち、第５実施形態では、表示装置１４に表示される解除アイコン５１の個数が可変である。
【００５５】
第５実施形態においても第３実施形態と同様の効果が実現される。また、第５実施形態では、複数種の認証処理のうち無効な認証処理については解除アイコン５１が表示装置１４に表示されない。したがって、実際には無効な認証処理を利用者が誤って選択する可能性を低減することが可能である。
【００５６】
＜第６実施形態＞
本発明の第６実施形態を説明する。第６実施形態では、第３実施形態と同様に、複数種の認証処理にそれぞれ対応する複数の解除アイコン５１がロック画面５０に表示される。複数の解除アイコン５１のうち利用者が選択した解除アイコン５１に対応する認証処理が、認証処理部３３により実行される。
【００５７】
図１５は、第６実施形態の処理装置１１が実行する処理の内容を例示するフローチャートである。第６実施形態において、利用者が選択した解除アイコン５１に対応する認証処理により動作状態がロック状態から通常状態に遷移するまでの手順（Ｓｂ１〜Ｓｂ６）は、第３実施形態と同様である。したがって、第６実施形態においても第３実施形態と同様の効果が実現される。
【００５８】
情報処理装置１００の動作状態が通常状態に遷移すると、第６実施形態の動作制御部３１は、認証処理部３３が実行した認証処理の種類に応じて、ロック状態の解除後における情報処理装置１００の動作モードを設定する（Ｓｃ１）。具体的には、動作制御部３１は、認証処理部３３がコード認証を実行した場合には、情報処理装置１００の動作モードを通常モードに設定し、認証処理部３３が指紋認証または顔認証を実行した場合には、情報処理装置１００の動作モードをマナーモードに設定する。マナーモードは、着信音等の各種の音の再生が制限された動作モードである。通常モードは、マナーモードで制限される動作が許可された動作モードである。動作制御部３１が動作モード設定すると（Ｓｃ１）、表示制御部３２は、ホーム画面４０を表示装置１４に表示させる（Ｓｂ７）。なお、認証処理の種類と動作モードとの関係は以上の例示に限定されない。
【００５９】
以上に説明した通り、第６実施形態では、認証処理部３３が実行した認証処理の種類に応じて、ロック状態の解除後の動作モードが設定される。すなわち、複数の解除アイコン５１の何れかを利用者が選択する操作は、情報処理装置１００の動作モードを選択する手順に相当する。したがって、解除アイコン５１の選択のための操作とは別個に利用者が動作モードを選択する必要がある構成と比較して、利用者が動作モードを選択するための負荷を軽減することが可能である。
【００６０】
なお、以上の説明では通常モードとマナーモードとを例示したが、認証処理に応じて切替えられる動作モードの種類は以上の例示に限定されない。具体的には、通常モードとシニアモードとキッズモードとの何れかを認証処理の種類に応じて選択してもよい。例えば、コード認証が実行された場合には通常モードに設定され、指紋認証が実行された場合にはシニアモードに設定され、顔認証が実行された場合にはキッズモードに設定される。シニアモードは、例えば、表示装置１４に表示される文字が通常モードと比較して拡大されたり、情報処理装置１００の各機能の案内が表示されたりする、高齢者に好適な動作モードである。他方、キッズモードは、情報処理装置１００の一部の機能が制限されたり、特定のＷｅｂサイトへのアクセスが制限されたりする、子供に好適な動作モードである。
【００６１】
また、複数の利用者（例えば利用者Ａおよび利用者Ｂ）が情報処理装置１００を共用するマルチユーザ環境において、複数の利用者にそれぞれ対応する複数の動作モードの何れかを認証処理の種類に応じて設定してもよい。例えば、コード認証が実行された場合には、ロック状態の解除後に利用者Ａ用の動作モードに設定され、指紋認証が実行された場合には、ロック状態の解除後に利用者Ｂ用の動作モードに設定される。
【００６２】
＜第７実施形態＞
本発明の第７実施形態を説明する。第７実施形態では、第３実施形態と同様に、複数種の認証処理にそれぞれ対応する複数の解除アイコン５１がロック画面５０に表示される。複数の解除アイコン５１のうち利用者が選択した解除アイコン５１に対応する認証処理が、認証処理部３３により実行される。
【００６３】
図１６は、第７実施形態の処理装置１１が実行する処理の内容を例示するフローチャートである。第７実施形態において、利用者が選択した解除アイコン５１に対応する認証処理により動作状態がロック状態から通常状態に遷移するまでの手順（Ｓｂ１〜Ｓｂ６）は、第３実施形態と同様である。したがって、第７実施形態においても第３実施形態と同様の効果が実現される。
【００６４】
情報処理装置１００の動作状態が通常状態に遷移すると、第７実施形態の動作制御部３１は、認証処理部３３が実行した認証処理に対応するプログラムを起動する（Ｓｃ２）。すなわち、認証処理部３３が実行した認証処理の種類に応じて、ロック状態の解除後に起動されるプログラムが変化する。具体的には、動作制御部３１は、認証処理部３３がコード認証を実行した場合には、撮像装置２３により画像を撮像するためのプログラムを起動する。また、動作制御部３１は、認証処理部３３が指紋認証を実行した場合には、通信装置１３を利用して電子メールを授受するためのプログラムを起動し、認証処理部３３が顔認証を実行した場合には、利用者のスケジュールを編集するためのプログラムを起動する。なお、認証処理の種類とプログラムとの関係は以上の例示に限定されない。認証処理の種類とプログラムとの関係を利用者からの指示に応じて変更してもよい。
【００６５】
以上に説明した通り、第７実施形態では、認証処理部３３が実行した認証処理の種類に対応したプログラムがロック状態の解除後に起動される。したがって、認証処理によるロック状態の解除後に利用者がプログラムを選択する構成と比較して、利用者がプログラムを選択するための負荷を軽減することが可能である。
【００６６】
＜変形例＞
本発明は、以上に例示した実施形態に限定されない。具体的な変形の態様を以下に例示する。以下の例示から任意に選択された２以上の態様を併合してもよい。
【００６７】
（１）解除アイコン５１（５１ａ，５１ｂ，５１ｃ）の表示内容および表示態様は、前述の各形態での例示に限定されない。例えば、ロック画面５０を分割した複数の領域の各々に大きいサイズの解除アイコン５１を表示してもよい。また、認証処理の種類に応じた動画像（アニメーション）を解除アイコン５１として表示してもよいし、解除アイコン５１毎に色分けをしてもよい。
【００６８】
（２）前述の各形態では、コード認証、指紋認証および顔認証の３種類の認証処理を例示したが、認証処理の種類は以上の例示に限定されない。例えば、利用者から取得した虹彩パターンと事前に登録された参照データとを照合する虹彩認証、または、利用者が表示面に接触する地点の軌跡パターンと事前に登録された参照データとを照合するパターン認証等、公知の任意の認証処理が利用される。
【００６９】
（３）前述の各形態では、携帯電話機またはスマートフォン等の可搬型の情報端末を情報処理装置１００として例示したが、情報処理装置１００の具体的な形態は任意であり、前述の各形態の例示には限定されない。例えば、可搬型または据置型のパーソナルコンピュータを情報処理装置１００として利用してもよい。
【００７０】
（４）前述の各形態において例示したフローチャートにおいて、各ステップの順序を変更してもよい。すなわち、本発明の好適な態様における各処理の順序は、特定の順序に限定されない。
【００７１】
（５）図２に例示された各機能は、ハードウェアおよびソフトウェアの任意の組合せによって実現される。また、各機能は、単体の装置によって実現されてもよいし、相互に別体で構成された２個以上の装置によって実現されてもよい。
【００７２】
（６）前述の各形態で例示したプログラムは、ソフトウェア、ファームウェア、ミドルウェア、マイクロコードまたはハードウェア記述言語と呼ばれるか、他の名称によって呼ばれるかを問わず、命令、命令セット、コード、コードセグメント、プログラムコード、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順または機能等を意味するよう広く解釈されるべきである。
【００７３】
また、ソフトウェア、命令などは、伝送媒体を介して送受信されてもよい。例えば、ソフトウェアが、同軸ケーブル、光ファイバケーブル、ツイストペアおよびデジタル加入者回線（ＤＳＬ）などの有線技術および／または赤外線、無線およびマイクロ波などの無線技術を使用してウェブサイト、サーバ、または他のリモートソースから送信される場合、これらの有線技術および／または無線技術は、伝送媒体の定義内に含まれる。
【００７４】
（７）本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ ８０２．１１（Ｗｉ−Ｆｉ）、ＩＥＥＥ ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステムおよび／またはこれらに基づいて拡張された次世代システムに適用されてもよい。
【００７５】
（８）入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００７６】
（９）判定は、１ビットで表される値（０か１か）によって行われてもよいし、真偽値（Boolean：trueまたはfalse）によって行われてもよいし、数値の比較（例えば、所定の値との比較）によって行われてもよい。
【００７７】
（１０）本明細書で説明した各態様／実施形態は単独で用いてもよいし、組み合わせて用いてもよいし、実行に伴って切り替えて用いてもよい。
【００７８】
（１１）本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、またはこれらの任意の組み合わせによって表されてもよい。
【００７９】
（１２）本明細書で使用する「システム」および「ネットワーク」という用語は、互換的に使用される。
【００８０】
（１３）本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００８１】
（１４）前述の各形態における情報処理装置１００としては移動局が好適である。移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００８２】
（１５）「接続された(connected)」、「結合された(coupled)」という用語、またはこれらのあらゆる変形は、２またはそれ以上の要素間の直接的または間接的なあらゆる接続または結合を意味し、互いに「接続」または「結合」された２つの要素間に１またはそれ以上の中間要素が存在することを含むことができる。要素間の結合または接続は、物理的なものであっても、論理的なものであっても、或いはこれらの組み合わせであってもよい。本明細書で使用する場合、２つの要素は、１またはそれ以上の電線、ケーブルおよび／またはプリント電気接続を使用することにより、並びにいくつかの非限定的かつ非包括的な例として、無線周波数領域、マイクロ波領域および光（可視および不可視の両方）領域の波長を有する電磁エネルギーなどの電磁エネルギーを使用することにより、互いに「接続」または「結合」されると考えることができる。
【００８３】
（１６）前述の各形態では、記憶装置１２としてＲＯＭおよびＲＡＭ等の記録回路を例示したが、フレキシブルディスク、光磁気ディスク(例えば、コンパクトディスク、デジタル多用途ディスク、Ｂｌｕ−ｒａｙ（登録商標）ディスク)、スマートカード、フラッシュメモリデバイス(例えば、カード、スティック、キードライブ)、ＣＤ−ＲＯＭ（Compact  Disc−ＲＯＭ）、レジスタ、リムーバブルディスク、ハードディスク、フロッピー（登録商標）ディスク、磁気ストリップ、データベース、サーバその他の適切な記憶媒体である。また、プログラムは、電気通信回線を介して送信されても良い。
【００８４】
（１７）本願の全体において、例えば、英語におけるa、anおよびtheのように、翻訳によって冠詞が追加された場合、これらの冠詞は、文脈から明らかにそうではないことが示されていなければ、複数を含む。
【００８５】
（１８）本発明が本明細書中に説明した実施形態に限定されないことは当業者にとって明白である。本発明は、特許請求の範囲の記載に基づいて定まる本発明の趣旨および範囲を逸脱することなく修正および変更態様として実施することができる。したがって、本明細書の記載は、例示的な説明を目的とし、本発明に対して何ら制限的な意味を有さない。また、本明細書に例示した態様から選択された複数の態様を組合わせてもよい。
【符号の説明】
【００８６】
１００…情報処理装置、１１…処理装置、１２…記憶装置、１３…通信装置、１４…表示装置、１５…入力装置、２１…操作装置、２２…指紋検出器、２３…撮像装置、３１…動作制御部、３２…表示制御部、３３…認証処理部、４０…ホーム画面、４１…アイコン、５０…ロック画面、５１，５１ａ，５１ｂ，５１ｃ…解除アイコン。
【図１】
2019023820.tif 000003
【図２】
2019023820.tif 000004
【図３】
2019023820.tif 000005
【図４】
2019023820.tif 000006
【図５】
2019023820.tif 000007
【図６】
2019023820.tif 000008
【図７】
2019023820.tif 000009
【図８】
2019023820.tif 000010
【図９】
2019023820.tif 000011
【図１０】
2019023820.tif 000012
【図１１】
2019023820.tif 000013
【図１２】
2019023820.tif 000014
【図１３】
2019023820.tif 000015
【図１４】
2019023820.tif 000016
【図１５】
2019023820.tif 000017
【図１６】
2019023820.tif 000018